(57)【特許請求の範囲】
【請求項１】
住宅に設置されている複数の電気機器の動作状態、若しくは当該電気機器の動作に起因した環境変化を検知する検知手段と、電気機器の消費電力を低減するために住人が行うべき複数種類の行動内容を記憶した記憶手段と、行動内容を文字又は音声の少なくとも何れか一方のメッセージとして住人に提示する提示手段と、検知手段の検知結果に基づいて記憶手段に記憶されている複数種類の行動内容の中から１乃至複数の行動内容を選出するとともに選出した行動内容を提示手段に提示させる行動内容選出手段と、電気機器の動作を遠隔から制御する制御手段と、操作入力を受け付ける操作入力受付手段とを備え、
電気機器は冷房又は暖房の少なくとも何れか一方の動作を行うものであって、検知手段は、電気機器が設置されている部屋の内気温と住宅の外の外気温との差を検知してなり、行動内容選出手段は、検知手段で検知される内気温と外気温との差が所定のしきい値以上となったとき、前記部屋を換気するという行動内容を選出して提示手段に提示させ、制御手段は、操作入力受付手段で受け付ける操作入力によって前記部屋を換気するという行動が採られたと判断した場合に当該電気機器を停止させることを特徴とする省電力促進システム。
【請求項２】
行動内容選出手段は、検知手段で前記電気機器が動作していることが検知された場合、当該電気機器を停止するという行動内容を選出して提示手段に提示させることを特徴とする請求項１記載の省電力促進システム。
【請求項３】
検知手段は、制御手段が電気機器を停止した時点から、内気温と外気温の差がなくなるまでに要する時間を計時するとともに当該時間に応じて前記しきい値を変更することを特徴とする請求項１記載の省電力促進システム。
【請求項４】
検知手段は、住宅の各部屋における人の存在を検知してなり、
行動内容選出手段は、検知手段の検知結果に基づき、２以上の所定数の部屋で人の存在が検知されたときは予め決められている特定の部屋に集まるという行動内容を選出して提示手段に提示させることを特徴とする請求項１〜３の何れか１項に記載の省電力促進システム。
【請求項５】
検知手段は、住宅の各部屋に設置されている電気機器の種類と当該電気機器の動作状態を検知してなり、
行動内容選出手段は、検知手段の検知結果に基づき、２以上の所定数の部屋で同一種類の電気機器が動作しているときは予め決められている特定の部屋に集まるという行動内容を選出して提示手段に提示させることを特徴とする請求項１〜３の何れか１項に記載の省電力促進システム
【請求項６】
行動内容選出手段は、２以上の所定数の部屋に人が分散しているときに各部屋に設置されている電気機器の消費電力の総和と、前記特定の部屋に集合したときに当該部屋に設置されている電気機器の消費電力の総和との差分を推定して提示手段に提示させることを特徴とする請求項４又は５記載の省電力促進システム。
【請求項７】
電気機器にはテレビ受像機が含まれ、検知手段は、テレビ受像機で選択されているチャンネルを検知してなり、行動内容選出手段は、検知手段の検知結果に基づき、２以上の所定数の部屋にそれぞれ設置されているテレビ受像機で同一のチャンネルが選択されているときに前記特定の部屋に集まるという行動内容を選出して提示手段に提示させることを特徴とする請求項５記載の省電力促進システム。
【請求項８】
行動内容選出手段は、提示手段から提示させる行動内容に従って住人が行動した場合に低減される消費電力を推定し、当該推定値を提示手段に提示させることを特徴とする請求項１〜７の何れか１項に記載の省電力促進システム。
【発明の詳細な説明】
【技術分野】
【０００１】
本発明は、住宅における消費電力の低減を促進させる省電力促進システムに関するものである。
【背景技術】
【０００２】
地球温暖化の原因である二酸化炭素の排出量を削減するためには、工場やオフィスだけでなく住宅においても省電力化を促進する必要がある。住宅の省電力化を促進する方法としては、空調機器（エアコンディショナ）やテレビ受像機、床暖房装置などの電気機器を制御する制御装置を設置し、かかる制御装置が各電気機器を制御して無駄な電力消費を減らす方法や、省電力化を図るために実行すべきアドバイス（助言）を利用者（住人）に提示する方法などが考えられる。
【０００３】
前者の方法を実施するためのシステムは、それぞれの電気機器が制御装置で制御可能な種類のものでなければならないが、住宅内の全ての電気機器を制御可能な種類の電気機器とすることは導入コストが非常に高くなるために普及し難いと考えられる。
【０００４】
一方、後者の方法を実施するためのシステムは、例えば、特許文献１に開示されている。特許文献１に開示されている従来システムでは、遠隔地に設置されているサーバ（センタ装置）と住宅に設置されている端末（表示操作装置）とをネットワーク（インターネット）を介して接続し、住人が表示操作装置のスイッチ等を操作してアドバイスを要求したときに、表示操作装置からインターネット経由でセンタ装置にアクセスし、センタ装置が保有する種々のアドバイスをインターネット経由で表示操作装置にダウンロードするとともにダウンロードしたアドバイス（文字並びに音声）を表示操作装置の表示デバイスに表示すると同時にスピーカから鳴動するようになっている。そして、センタ装置から提示されるアドバイスに従い、例えば、住人がエアコンの冷房時の設定温度を高めに変更することで消費電力の低減が図れるものであった。
【先行技術文献】
【特許文献】
【０００５】
【特許文献１】特開２００９−１３０９８７号公報
【発明の概要】
【発明が解決しようとする課題】
【０００６】
しかしながら、特許文献１に記載されている従来システムは、利用者（住人）が表示操作装置を操作したときにアドバイスが提示されるに過ぎず、省電力に対する住人の意識が低い場合、消費電力の低減を促進させることは非常に困難であった。
【０００７】
本発明は上記事情に鑑みて為されたものであり、その目的は、省電力に対する住人の意識を高めて住宅における消費電力の低減を促進させることができる省電力促進システムを提供することにある。
【課題を解決するための手段】
【０００８】
請求項１の発明は、上記目的を達成するために、住宅に設置されている複数の電気機器の動作状態、若しくは当該電気機器の動作に起因した環境変化を検知する検知手段と、電気機器の消費電力を低減するために住人が行うべき複数種類の行動内容を記憶した記憶手段と、行動内容を文字又は音声の少なくとも何れか一方のメッセージとして住人に提示する提示手段と、検知手段の検知結果に基づいて記憶手段に記憶されている複数種類の行動内容の中から１乃至複数の行動内容を選出するとともに選出した行動内容を提示手段に提示させる行動内容選出手段と、電気機器の動作を遠隔から制御する制御手段と、操作入力を受け付ける操作入力受付手段とを備え、電気機器は冷房又は暖房の少なくとも何れか一方の動作を行うものであって、検知手段は、電気機器が設置されている部屋の内気温と住宅の外の外気温との差を検知してなり、行動内容選出手段は、検知手段で検知される内気温と外気温との差が所定のしきい値以上となったとき、前記部屋を換気するという行動内容を選出して提示手段に提示させ、制御手段は、操作入力受付手段で受け付ける操作入力によって前記部屋を換気するという行動が採られたと判断した場合に当該電気機器を停止させることを特徴とする。
【０００９】
請求項１の発明によれば、電気機器の消費電力を低減するために住人が行うべき複数種類の行動内容の中から検知手段の検知結果に基づいて選出される適切な行動内容が提示手段によって住人に提示されるため、電気機器を制御しなくても、省電力に対する住人の意識を高めて住宅における消費電力の低減を促進させることができる。例えば、夏場において検知手段の検知結果から内気温よりも外気温の方が低いと判ったときに部屋を換気するという行動内容のメッセージを提示手段に提示させ、当該メッセージの通りに住人が窓を開けて換気すれば電気機器を冷房動作させることを避けて消費電力を低減することができる。また、冷房動作している電気機器を強制的に停止することで無駄な消費電力を削減することができる。
【００１２】
請求項２の発明は、請求項１の発明において、行動内容選出手段は、検知手段で前記電気機器が動作していることが検知された場合、当該電気機器を停止するという行動内容を選出して提示手段に提示させることを特徴とする。
【００１３】
請求項２の発明によれば、請求項１の発明の作用に加えて、冷房動作している電気機器を停止するという行動内容のメッセージを提示手段に提示させ、当該メッセージの通りに住人が電気機器を停止すれば、無駄な消費電力を削減することができる。
【００１７】
請求項３の発明は、請求項１の発明において、検知手段は、制御手段が電気機器を停止した時点から、内気温と外気温の差がなくなるまでに要する時間を計時するとともに当該時間に応じて前記しきい値を変更することを特徴とする。
【００１８】
請求項３の発明によれば、換気によって内気温と外気温の差を縮める効果は住宅の風通しや季節などの諸条件によって変動するので、内気温と外気温の差がなくなるまでに要する時間に応じてしきい値を変更することにより、前記諸条件に対応して換気により内気温と外気温の差を縮める効果を高めることができる。
【００１９】
請求項４の発明は、請求項１〜３の何れか１項の発明において、検知手段は、住宅の各部屋における人の存在を検知してなり、行動内容選出手段は、検知手段の検知結果に基づき、２以上の所定数の部屋で人の存在が検知されたときは予め決められている特定の部屋に集まるという行動内容を選出して提示手段に提示させることを特徴とする。
【００２０】
請求項４の発明によれば、それぞれ別の部屋で過ごす住人を特定の部屋に集めることで同時に動作する電気機器の数を減らして消費電力を低減することができる。
【００２１】
請求項５の発明は、請求項１〜３の何れか１項の発明において、検知手段は、住宅の各部屋に設置されている電気機器の種類と当該電気機器の動作状態を検知してなり、行動内容選出手段は、検知手段の検知結果に基づき、２以上の所定数の部屋で同一種類の電気機器が動作しているときは予め決められている特定の部屋に集まるという行動内容を選出して提示手段に提示させることを特徴とする。
【００２２】
請求項５の発明によれば、例えば、２以上の部屋でそれぞれ電気機器が冷房動作している状況において、特定の部屋に集まるという行動内容のメッセージを提示手段に提示させ、当該メッセージに従って別々の部屋に居た複数の住人が特定の部屋に集まれば、同種類の電気機器を同時に動作させる場合と比較して消費電力を低減することができる。
【００２３】
請求項６の発明は、請求項４又は５の発明において、行動内容選出手段は、２以上の所定数の部屋に人が分散しているときに各部屋に設置されている電気機器の消費電力の総和と、前記特定の部屋に集合したときに当該部屋に設置されている電気機器の消費電力の総和との差分を推定して提示手段に提示させることを特徴とする。
【００２４】
請求項６の発明によれば、提示手段で提示される行動内容のメッセージに従って特定の部屋に集まる動機付けを住人に与えることができる。
【００２５】
請求項７の発明は、請求項５の発明において、電気機器にはテレビ受像機が含まれ、検知手段は、テレビ受像機で選択されているチャンネルを検知してなり、行動内容選出手段は、検知手段の検知結果に基づき、２以上の所定数の部屋にそれぞれ設置されているテレビ受像機で同一のチャンネルが選択されているときに前記特定の部屋に集まるという行動内容を選出して提示手段に提示させることを特徴とする。
【００２６】
請求項７の発明によれば、複数の住人が各々異なる部屋で同じテレビ番組を視聴している場合において、特定の部屋に集まるという行動内容のメッセージを提示手段に提示させ、当該メッセージに従って別々の部屋で同じテレビ番組を視聴していた複数の住人が特定の部屋に集まり、特定の部屋に設置されているテレビ受像機で当該テレビ番組を視聴すれば、同時に動作するテレビ受像機の数を減らして消費電力を低減することができる。
【００２７】
請求項８の発明は、請求項１〜７の何れか１項の発明において、行動内容選出手段は、提示手段から提示させる行動内容に従って住人が行動した場合に低減される消費電力を推定し、当該推定値を提示手段に提示させることを特徴とする。
【００２８】
請求項８の発明によれば、提示手段で提示される行動内容を実行する動機付けを住人に与えることができる。
【発明の効果】
【００３１】
本発明によれば、省電力に対する住人の意識を高めて住宅における消費電力の低減を促進させることができる。
【図面の簡単な説明】
【００３２】
【図１】本発明の実施形態１を示すシステム構成図である。
【図２】同上における制御盤及び制御装置のブロック図である。
【図３】（ａ）は同上における表示操作装置のブロック図、（ｂ），（ｃ）は表示操作装置で表示する表示内容の説明図である。
【図４】同上の動作説明用のフローチャートである。
【図５】同上の動作説明用のフローチャートである。
【図６】本発明の実施形態２を示すシステム構成図である。
【図７】同上における表示操作装置で提示する提示内容の説明図である。
【図８】同上の動作説明用のフローチャートである。
【発明を実施するための形態】
【００３３】
（実施形態１）
本実施形態の省電力促進システムは、図１に示すように住宅Ｈに設置された制御装置１、表示操作装置２、センサ装置５で構成されている。
【００３４】
制御装置１は制御盤Ａに設置されており、この制御盤Ａには商用電力系統ＡＣから交流電力を給電するための給電路Ｌｐ１が電力計６を介して引き込まれるとともに、住宅Ｈに設置されている発電装置７から交流電力を給電するための給電路Ｌｐ２が引き込まれている。
【００３５】
発電装置７は、例えば、太陽電池並びに太陽光発電用のパワーコンディショナや、燃料電池及び燃料電池用のパワーコンディショナなどで構成され、太陽電池や燃料電池で発電される直流電力がパワーコンディショナにより交流電力に変換され、給電路Ｌｐ２を介して住宅Ｈ内に給電される。
【００３６】
制御盤Ａは、図２に示すように住宅Ｈ内に設置されたボックスに主幹ブレーカＭＢ及び複数の分岐ブレーカＳＢとともに制御装置１を収納して構成される。主幹ブレーカＭＢの１次側に商用電力系統ＡＣからの給電路Ｌｐ１と発電装置７からの給電路Ｌｐ２とが並列に接続され、主幹ブレーカＭＢの２次側には複数（図示例では４つ）の分岐ブレーカＳＢの１次側が並列接続され、さらに、各分岐ブレーカＳＢの２次側が住宅Ｈ内に配線されている配電路（電源線）Ｌｘと接続されている。そして、これら複数系統の配電路Ｌｘに接続されている１乃至複数の電気機器に当該配電路Ｌｘを介して給電されている。
【００３７】
本実施形態における住宅Ｈには、リビング、客間、寝室、子供部屋などの部屋があり、それぞれの部屋に電気機器が設置されている。例えば、リビングにはエアコン３1及びテレビ受像機４1が設置され、子供部屋にはエアコン３2及びテレビ受像機４2が設置され、寝室にはエアコン３3及びテレビ受像機４3が設置され、客間にはエアコン３4及びテレビ受像機４4が設置されている。なお、これら複数の電気機器のうちでリビングに設置されているエアコン３1と子供部屋に設置されているエアコン３2は、日本電機工業会規格（ＪＥＭ）で規格化されているＨＡ端子が搭載され、ＨＡ端子に接続される信号線Ｌｓ１を介して制御信号の受信とモニタ信号の送信を行うことができる。但し、かかるＨＡ端子（正式には、「ＪＥＭＡ標準ＨＡ端子−Ａ」と呼ばれる。）並びにＨＡ端子に関するＪＥＭ規格については従来周知であるから詳細な説明を省略する。
【００３８】
センサ装置５は、リビング、子供部屋、寝室、客間の各部屋（屋内）並びに住宅Ｈの外（屋外）に設置されている。このうち、屋内に設置される４つのセンサ装置５（５1〜５4）は、サーミスタや熱電対等を用いて各部屋の雰囲気温度（内気温）を測定する温度センサや各部屋を監視領域とする人感センサを具備しており、温度センサで測定した内気温の測定値や人感センサの検知結果（監視領域における人の存否）を伝送路Ｌｓ２を介してデータ伝送する機能を有している。人感センサは焦電素子を用いて人体から放射される熱線を検知する焦電式の人感センサ、あるいは超音波マイクロホンを用いて移動体（人）に反射する超音波を受波する超音波ドップラ式の人感センサ、若しくは電波を放射し移動体（人）に反射する電波を受信する電波ドップラ式の人感センサからなる。また、屋外に設置されるセンサ装置５5はサーミスタや熱電対等を用いて住宅Ｈの外（屋外）の雰囲気温度（外気温）を測定する温度センサを具備し、温度センサで測定した外気温の測定値を伝送路Ｌｓ２を介してデータ伝送する機能を有している。尚、センサ装置５が行うデータ伝送は有線の伝送路Ｌｓ２を介したものに限定されず、例えば、小電力無線等の電波を伝送媒体としたものであっても構わない。
【００３９】
制御装置１は制御盤Ａのボックス内に設置されており、図２に示すように制御部１０、記憶部１１、宅内通信部１２、ネットワーク通信部１３を備えている。制御部１０は、ＣＰＵが所定のプログラムを実行することによって後述する種々の機能を実現している。記憶部１１は、半導体メモリや磁気ディスクなどの記憶媒体からなり、前記プログラムデータの他、後述するようにセンサ装置５から取得した測定値データ及び検知結果データなどを記憶している。宅内通信部１２は、制御部１０とセンサ装置５との間で伝送路Ｌｓ２を介して行うデータ伝送をインタフェースする機能の他に、ＨＡ端子を搭載したエアコン３1，３2と制御部１０との間で信号線Ｌｓ１を介して行うデータ伝送をインタフェースする機能を有している。ネットワーク通信部１３は、ツイストペアケーブル（ＬＡＮケーブル）を通信媒体（通信路Ｌｓ３）とする有線ＬＡＮ（100BASE-TXなど）を利用した通信デバイス（ＬＡＮコントローラ）の他、電話回線や光ファイバ回線若しくはＣＡＴＶ回線を介してインターネットＮＷに接続しインターネットＮＷを通してセンタ装置Ｓとデータ通信を行うためのモデム（ＡＤＳＬモデムやＯＮＵ、ケーブルモデムなど）を具備している。但し、有線ＬＡＮの通信デバイスに代えて無線ＬＡＮの通信デバイスを具備しても構わない。
【００４０】
制御部１０は宅内通信部１２を通して各センサ装置５に定期的にアクセスし、各センサ装置５が温度センサで計測した内気温又は外気温の測定値と人感センサの検知結果とを取得して記憶部１１に記憶している。ここで、センサ装置５にはそれぞれデータ伝送用に固有のセンサ番号が割り当てられており、制御部１０は、当該センサ番号を用いて各センサ装置５に個別にアクセスしている。
【００４１】
また記憶部１１には、電気機器（エアコン３やテレビ受像機４）の消費電力を低減するために住人が行うべき複数種類の行動内容が記憶されている。具体的には、それぞれの行動内容を示す文章（メッセージ）のテキストデータと当該文章を読み上げた音声データ等を含む複数のウェブコンテンツが記憶部１１に記憶されている。そして、後述するように制御部１０に搭載されているウェブサーバにより、記憶部１１に記憶されている複数のウェブコンテンツの中から選出されるウェブコンテンツがネットワーク通信部１３を通して表示装置２に配信される。但し、記憶部１１に記憶されるウェブコンテンツは、ネットワーク通信部１３を通してインターネットＮＷ経由でサーバ装置Ｓから制御装置１にダウンロードすることによって追加できる。
【００４２】
表示操作装置２は、図３（ａ）に示すように制御部２０、表示部２１、記憶部２２、ネットワーク通信部２３、操作入力受付部２４、スピーカ２５を備えている。制御部２０は、ＣＰＵが所定のプログラムを実行することによって後述する種々の機能を実現しており、制御装置１の制御部１０に搭載されているウェブサーバからウェブコンテンツを取得して再生するウェブブラウザが搭載されている。記憶部２２は、半導体メモリや磁気ディスクなどの記憶媒体からなり、前記プログラムデータやウェブブラウザの他、制御装置１から配信されるウェブコンテンツなどを記憶している。
【００４３】
表示部２１は液晶ディスプレイや有機ＥＬディスプレイなどの表示デバイスと当該表示デバイスを駆動して文字や図形、記号などの視覚情報を提示（表示）するものである。操作入力受付部２４は、表示デバイスと組み合わされるタッチパネルからなり、住人がタッチパネルに触れることで種々の操作入力を受け付けて制御部２０に渡すものである。ネットワーク通信部２３は、制御装置１のネットワーク通信部１３と共通の通信デバイス（ＬＡＮコントローラ）からなり、通信路Ｌｓ３（ＬＡＮケーブル）を介して制御装置１との間でパケット通信を行うものである。尚、当該パケット通信を行うために、制御装置１並びに表示操作装置２には、それぞれ固有のＩＰアドレス（プライベートＩＰアドレス）が割り当てられている。
【００４４】
而して、制御部２０では、制御装置１から配信されるウェブコンテンツをネットワーク通信部２３より受け取ると、ウェブブラウザで当該ウェブコンテンツを再生して表示部２１の画面（表示デバイスの画面）にメッセージ（文字）を表示するとともに当該メッセージを読み上げた音声（音声メッセージ）をスピーカ２５から鳴動するのである。
【００４５】
次に、図４のフローチャートを参照し、エアコン３を冷房運転させている場合の本実施形態の動作の一例について説明する。
【００４６】
まず制御装置１の制御部１０は、センサ装置５（例えば、リビングに設置されているセンサ装置５1）から内気温の測定値を取得するとともに屋外に設置されているセンサ装置５5から外気温の測定値を取得する（ステップＳ１）。制御部１０は、取得した内気温の測定値と外気温の測定値（以下、単に「内気温」及び「外気温」という。）の差（＝内気温−外気温）を演算するとともに当該差が所定のしきい値（例えば、５℃）以上であるか否かを判定する（ステップＳ２）。内気温と外気温の差が５℃未満である場合、制御部１０は外気温が予め設定されている目標設定温度（例えば、２８℃）以下であるか否かを判定し（ステップＳ３）、外気温が目標設定温度を超えていればステップＳ１に戻り、外気温が目標設定温度以下であればステップＳ４に戻る。
【００４７】
内気温と外気温の差が５℃以上、つまり、屋外の外気温がリビングの内気温よりも５℃以上低いときには、リビングの窓を閉め切ってエアコン３1を冷房運転するよりもエアコン３1を冷房運転せずに窓を開けて換気した方が消費電力を低減しながらリビングの内気温を快適な温度にすることができる。そこで、内気温と外気温の差が５℃以上である場合、制御部１０は記憶部１１に記憶されている複数種類のウェブコンテンツの中から最適なウェブコンテンツ、この場合、窓を開けるという行動内容に対応したウェブコンテンツを選出して読み出し、当該ウェブコンテンツをネットワーク通信部１３より配信する。制御装置１から配信されたウェブコンテンツは表示操作装置２の制御部２０で再生される。具体的には、表示操作装置２の表示部２１の画面に図３（ｂ）に示すようなメッセージが表示されるとともに同じ内容の音声メッセージがスピーカ２５から鳴動されて住人に提示される（ステップＳ４）。ここで、最近のテレビ受像機にはネットワーク通信機能を有する機種があり、住宅Ｈに設置されているテレビ受像機４がこのような機種であれば、表示操作装置２だけでなくテレビ受像機４においても制御装置１から配信される前記ウェブコンテンツを再生し、窓を開けて換気するように促すメッセージを住人に提示することができる。
【００４８】
さらに制御装置１の制御部１０は、住人がメッセージに従って窓を開けたか否かを確認するためのウェブコンテンツを記憶部１１から読み出してネットワーク通信部１３より配信する。このウェブコンテンツが表示操作装置２の制御部２０で再生されると、表示部２１には、図３（ｃ）に示すように「窓を開けましたか？」という質問のメッセージと、当該質問に対する住人の回答（「はい」又は「いいえ」）を受け付けるためのボタンとが表示され（ステップＳ５）、住人が表示部２１の表示面（表示デバイスの画面）において何れかのボタンが表示されている位置に触れるとタッチパネルを介して住人の回答に対応した操作入力が表示操作装置２の操作入力受付部２４に受け付けられる。そして、受け付けられた住人の回答に対応する操作入力の情報が表示操作装置２から制御装置１に返送される。
【００４９】
制御装置１の制御部１０では、表示操作装置２から返送されてくる住人の回答が肯定（窓を開けた）を示すものであるか否かを判定し（ステップＳ６）、肯定を示さない（窓を開けていない）と判定したら処理を終了する。一方、肯定を示す（窓を開けた）と判定した場合、制御部１０は、エアコン３1が冷房運転しているか否かをＨＡ端子のモニタ信号によって判別し、冷房運転しているときは宅内通信部１２より信号線Ｌｓ１を介して停止を指示する制御信号を送信してエアコン３1を停止させる（ステップＳ７）。すなわち、窓を開けて換気しているにも関わらず、エアコン３1を冷房運転することは電力を無駄に消費することになるので、上述のように住人が窓を開けたときは制御装置１がエアコン３1を停止することで無駄な電力消費を防ぐことができる。
【００５０】
ところで、図４に示したフローチャートでは内気温と外気温の差が５℃以上のときに窓を開けて換気するように促すメッセージを住人に提示しているが、必ずしも５℃というしきい値が適切な値とは限らない。例えば、住宅Ｈが風通しの良い場所に建っていれば窓を開けて部屋の温度（内気温）が下がるまでに要する時間は相対的に短いと考えられるが、住宅Ｈが風通しの良くない場所に建っていたり、あるいは日射による外壁からの熱が伝わりやすい構造であると、内気温が下がるまでに要する時間が相対的に長くなると考えられる。したがって、内気温と外気温の差と比較するしきい値をそれぞれの住宅Ｈ毎の状況に応じて変更することが望ましく、しきい値を適宜変更するようにした場合の動作について、図５のフローチャートを参照して説明する。
【００５１】
制御装置１の制御部１０は、図４のフローチャートで説明した動作と同様に、センサ装置５から取得した内気温と外気温の差をしきい値Ｘ（初期値はＸ＝５℃）と比較し、しきい値以上であれば表示操作装置２より窓を開けて換気するように促すメッセージを住人に提示するとともに、表示操作装置２から返送されてくる住人の回答が肯定（窓を開けた）を示す場合には制御信号を送信して冷房運転中のエアコン３1を停止させる（ステップＳ１〜Ｓ７）。そして、内気温が外気温以上の場合、制御装置１の制御部１０はエアコン３1が停止した時点から内蔵のタイマを起動し、センサ装置５から取得する内気温と外気温の差がゼロとなる、つまり、内気温と外気温が等しくなるまでの経過時間を計時するとともに、当該経過時間をそのときの月日及び時間帯（例えば、朝、昼、夜など）の情報と対応付けて当該情報とともに記憶部１１に記憶する（ステップＳ８）。
【００５２】
さらに制御装置１の制御部１０は、前記経過時間を所定の基準時間と比較し、経過時間が基準時間未満のときはしきい値Ｘを現在の値よりも減少させ、経過時間が基準時間以上のときはしきい値Ｘを現在の値よりも増大させる（ステップＳ９）。尚、変更（減少又は増大）したしきい値Ｘは、現在の値と書き換えられるようにして記憶部１１に記憶される。
【００５３】
上述のような処理でしきい値Ｘを変更すると、窓を開けて換気したときに相対的に短い時間で部屋の温度（内気温）が下がる場合、しきい値Ｘを相対的に小さい値に設定することでエアコン３を無駄に運転する時間を減らすことができる。一方、窓を開けて換気したときに部屋の温度（内気温）が下がるまでに相対的に長い時間が必要な場合、窓を開けて換気することによる内気温の低下が余り期待できないと考えられるので、この場合にはしきい値Ｘを相対的に大きい値に設定することにより、窓を開けて換気を促すメッセージが不用意に提示されるのを防ぐことができる。
【００５４】
ところで、複数の部屋で同時にエアコン３やテレビ受像機４を使用するよりも、家族（住人）全員が一つの部屋に集まり、当該部屋のエアコン３及びテレビ受像機４のみを使用する方が消費電力をより多く低減することができる。
【００５５】
そこで、センサ装置５に具備した電力計で各部屋毎の消費電力を計測し、制御装置１の制御部１０において、所定期間（例えば、１時間）内の消費電力量が規定値を超えている部屋の数をカウントし、そのカウント数が所定数（たとえば、３つ）以上である場合、特定の部屋（例えば、リビング）に集まるという行動内容に対応したメッセージを含むウェブコンテンツを表示操作装置２に配信する。そして、表示操作装置２で特定の部屋に集まるように促すメッセージが提示され、そのメッセージに従って子供部屋や客間に散らばって居た家族（住人）が一つの部屋（リビング）に集まれば、子供部屋や客間に設置されているエアコン３及びテレビ受像機４が停止することで住宅Ｈ全体の消費電力を低減することができる。ここで、制御部１０では部屋毎の消費電力の計測値をセンサ装置５から取得しているので、住人が別々の部屋でエアコン３やテレビ受像機４を使用しているときの消費電力の合計値と、住人が一つの部屋に集まった場合の消費電力の予測値とを表示操作装置２に配信するウェブコンテンツに含めれば、特定の部屋に集まることによる省電力の効果（消費電力の低減量）を住人に提示して特定の部屋に集まるという行動の動機付けを住人に与えることができる。
【００５６】
また、エアコン３がＨＡ端子を備えている場合、ＨＡ端子から出力されるモニタ信号によって当該エアコン３の動作状態（運転／停止）を制御部１０でモニタすることができる。したがって、制御部１０が、複数の部屋でエアコン３が同時に運転されていると判断したときに特定の部屋（例えば、リビング）に集まるという行動内容に対応したメッセージを含むウェブコンテンツを表示操作装置２に配信し、当該メッセージに従って住人が特定の部屋に集まれば、特定の部屋のエアコン３のみを運転して他の部屋のエアコン３を停止することで住宅Ｈ全体の消費電力を低減することができる。
【００５７】
さらに、複数の部屋で同時にテレビ受像機４が動作している場合においても、例えば、各部屋の住人が特定の部屋（リビング）に集まって１台のテレビ受像機４のみを動作させれば、同様に住宅Ｈ全体の消費電力を低減することができる。但し、各部屋においてテレビ受像機４で視聴されているテレビ番組が異なっている場合、住人を特定の部屋に集めることは困難であるから、各部屋で視聴されているテレビ番組が同一である場合にのみ、特定の部屋に集まるように促すメッセージを住人に提示することが望ましい。ここで、テレビ受像機４で視聴されているテレビ番組を制御装置１の制御部１０で判定する方法は幾つか考えられる。一つは、チャンネルの選択状況を外部へ伝達する機能がテレビ受像機４に搭載されている場合に当該機能を利用する方法である。あるいは、センサ装置５にマイクロホンとＦＦＴアナライザを具備し、テレビ受像機４のスピーカから鳴動される音をマイクロホンで集音するとともに当該音をＦＦＴアナライザを用いて周波数分析して制御装置１の制御部１０に周波数分析の結果を伝達し、制御部１０において各部屋の周波数分析結果が略一致していれば同じテレビ番組が視聴されていると判断する方法がある。または、テレビ受像機４に付属するワイヤレスリモコンのリモコン信号（赤外線又は電波を媒体とする信号）をセンサ装置５で受信することにより、当該リモコン信号からチャンネルの選択状況を判断する方法もある。
【００５８】
（実施形態２）
本実施形態のシステム構成図を図６に示す。但し、本実施形態のシステム構成は実施形態１とほぼ共通であるから、実施形態１と共通の構成要素には同一の符号を付して説明を省略する。
【００５９】
本実施形態が実施形態１と異なる点は、ＨＡ端子を利用したエアコン３の運転／停止の制御だけでなく、エアコン３の設定温度の調整も制御可能とした点にある。具体的には、エアコン３に付属しているリモコン装置が送信するワイヤレス信号（赤外線信号）と共通のワイヤレス信号を送信できるように構成された送信機８を各部屋に設置し、制御装置１の制御部１０から信号線Ｌｓ４を介して送信される制御コマンドに従って各送信機８がワイヤレス信号を送信することによってエアコン３の設定温度を調整することができる。
【００６０】
ここで、制御装置１の制御部１０は、住宅Ｈ全体における電気機器の消費電力低減レベルに応じた複数種類の制御モード（省エネモード）を有し、これら複数種類の制御モード（省エネモード）の内容並びに各制御モード（省エネモード）における消費電力低減レベルに関するメッセージを含むウェブコンテンツを表示操作装置２やネットワーク通信機能を有したテレビ受像機４に配信して住人に提示するとともに、これら複数種類の制御モード（省エネモード）の中から住人が選択する何れかの制御モード（省エネモード）で電気機器を制御する。
【００６１】
本実施形態においては、「積極省エネモード」、「快適省エネモード」、「外出モード」、「みんなでがんばるモード」の４種類の省エネモードが用意されている。「積極省エネモード」では、エアコン３の設定温度を夏季２８℃、冬季２０℃にそれぞれ強制的に調整するとともにセンサ装置５の人感センサで人の存在が検知されなくなってから５分経過したらエアコン３を強制的に停止するという制御内容を制御部１０が実行する。「快適省エネモード」では、人の温冷感を基にした制御内容、例えば、帰宅直後には冷房時の設定温度を相対的に低く（暖房時は相対的に高く）してエアコン３を運転させて徐々に設定温度を高く（暖房時は低く）するような制御内容を制御部１０が実行する。「外出モード」では、センサ装置５の人感センサで人の存在が検知されなくなってから１分経過したらエアコン３を強制的に停止するという制御内容を制御部１０が実行する。但し、「みんなでがんばるモード」では、制御部１０がエアコン３の制御を一切行わない。尚、これらの制御内容に対応した複数のプログラムが記憶部１１に記憶されている。
【００６２】
図７は前記ウェブコンテンツを表示している表示操作装置２（あるいはテレビ受像機４）の画面の様子を示しており、「積極省エネモード」、「快適省エネモード」、「外出モード」、「みんなでがんばるモード」の４種類の省エネモードの内容並びに各省エネモードにおける消費電力低減レベルに関するメッセージが表示されている。ここで、図７に示す画面で左端に表示されている「積極省エネモード」、「快適省エネモード」、「外出モード」、「みんなでがんばるモード」の各文字部分は、それぞれの省エネモードを選択するための操作入力を受け付けるボタンとなっており、住人が何れかのボタンの位置でタッチパネルに触れることで表示操作装置２の操作入力受付部２４が当該ボタンに対応した省エネモードを選択するための操作入力を受け付けるようになっている。
【００６３】
図８のフローチャートに示すように、住人によって何れかの省エネモードが選択されると、制御装置１の制御部１０は、「積極省エネモード」、「快適省エネモード」、「外出モード」の各省エネモードの制御内容に対応するプログラムの内から住人に選択された省エネモードの制御内容に対応するプログラムを記憶部１１から読み出して実行し、「みんなでがんばるモード」が選択されたときは何れのプログラムも実行しない。
【００６４】
ここで、実施形態１と同様に、制御部１０では部屋毎の消費電力の計測値をセンサ装置５から取得することができるので、日単位あるいは月単位での各部屋毎の積算電力量を記憶部１１に記憶しておき、各モード実行時の省エネ（省電力）の達成度合（消費電力の削減レベル）、例えば、「積極省エネモード」が実行された日の全部屋を合わせた積算電力量と、「快適省エネモード」が実行された日の全部屋を合わせた積算電力量との差分、を表示操作装置２より住人に提示することができる。このように何れかの省エネモードの実行によって期待される消費電力の削減レベルを住人に提示することにより、省電力に対する住人の意識を高めて住人が消費電力低減レベルの高い制御モード（省エネモード）を選択するように促すことができる。
【符号の説明】
【００６５】
１  制御装置
２  表示操作装置（提示手段）
５  センサ装置（検知手段）
１０  制御部（行動内容選出手段）
１１  記憶部（記憶手段）
【図１】
0005543747.tif 000002
【図２】
0005543747.tif 000003
【図３】
0005543747.tif 000004
【図４】
0005543747.tif 000005
【図５】
0005543747.tif 000006
【図６】
0005543747.tif 000007
【図７】
0005543747.tif 000008
【図８】
0005543747.tif 000009